(57)【要約】油状液体をヒドロキシ脂肪酸でゲル化したゲル状液体を、ポリマーフィルムの袋体に保持した、使用者のブレストに装着するブラジャー又は水着用の液体パッド。
2002024009.tif 000002
【特許請求の範囲】
【請求項１】
平らにされ密封された、可撓性のポリマーフィルムの袋体と、該袋体内に保持された液体からなり、該液体は、油状液体のヒドロキシ脂肪酸ゲル化物からなることを特徴とするブレスト用パッド。
【請求項２】
該液体よりも比重が小さい粒子を該袋体内に含有させたことを特徴とする請求の範囲１に記載のパッド。
【請求項３】
該ゲル化物は、６０〜１５０℃に加熱した油状液体１００重量部に対して、ヒドロキシ脂肪酸を０．３〜２０重量部混合し、冷却してゲル化させ、これを機械的に破壊することよって得られるものである請求の範囲１に記載のパッド。
【請求項４】
ヒドロキシ脂肪酸が１２ヒドロキシステアリン酸である請求の範囲１に記載のパッド。
【請求項５】
油状液体は、炭化水素油、シリコーン油、脂肪酸エステル及び脂肪酸トリグリセライドの中から選ばれる請求の範囲１に記載のパッド。
【発明の詳細な説明】
技術分野
本発明は、使用者のブレストに装着するブラジャー又は水着用のパッドに関するものである。
背景技術
下着のブラジャー、水着に装着するパッドは従来数多く提案されている。
これらのパッドとして望まれる条件としては、
１．ソフトで装着性が良く、柔軟性、弾力性が優れ、使用者に違和感を与えない。
２．装着時、外見上の不自然さがない。
３．装着時の形状保持性が良好である。
４．適度な重量感がある。
５．経時変化による、材料の劣化、重量変化が少ない。
６．デザイン性が良い。
等が挙げられる。
従来のパッドとしては、スポンジ製、シリコンゴム製等のものが一般に用いられてきた。これらのパッドは、装着時の形状保持性の点では良好であるが、装着時の違和感（柔軟性、弾力性）、外見上の不自然さ、デザイン性の点で満足のいくものではなかった。
上記の問題点を解消すべく、ポリマーフィルムの袋体に液体を封入したものが提案されている。これらのものは、装着性、柔軟性、弾力性の点では良好ではあるが、装着時の形状保持性、適度な重量感、経時変化による重量変化等の点で未だ十分満足のいくものではなかった。
発明の開示
本発明は上記問題点に鑑みてなされたものであって、装着性、柔軟性、弾力性、装着時の形状保持性が良好であり、適度な重量感があり、外見上違和感がなく、また、経時変化による材料の劣化、重量変化が少なく、デザイン性にも優れたパッドを提供することを目的とする。
本発明によれば、平らにされ密封された、可撓性のポリマーフィルムの袋体と、該袋体内に保持された液体からなり、該液体は、油状液体のヒドロキシ脂肪酸ゲル化物からなることを特徴とするブレスト用パッドが提供される。
本発明を図面を参照しつつ次に更に詳細に説明する。図中、
第１図は本発明のパッドの１実施例を示す上面図である；
第２図は第１図のＡ−Ａ断面図である；そして
第３図は第１図のパッドを装着した状態の透視説明図である。
第１図及び２図において、１は本発明の液体パッドであり、重ねられた２枚のポリマーフィルム１２の縁部１０は高周波により融着され、平らな密封袋体が形成されている。袋体の中にはゲル状液体１３が保持されている。１１は袋体の開口であり、ゲル状液体１３をそこから導入後、熱融着により封止されている。
第３図は、本発明の液体パッド１をブレストに装着した状態を示した透視図である。本発明のパッド１は、ブラジャー３０の内側ポケット部に挿入されている。
本発明の液体パッドは、油状液体をヒドロキシ脂肪酸でゲル化して得られるゲル状液体を用いる。
油状液体としては、室温で流動性を示し且つジドロキシ脂肪酸によりゲル化するものであればいかなる油状物質も使用できる。そのような油状物質は、例えば、炭化水素油、シリコーン油、脂肪酸エステル、脂肪酸トリグリセライドである。好適な油状物質の具体的は、流動パラフィン、スクワラン、ジメチルポリシロキサン、メチルフェニルポリシロキサン、ネオペンチルグリコールジイソオクチレート、グリセリルトリイソオクチレート、ホホバ油、イソプロピルミリステート、オリーブ油、ヒマシ油である。これらの油状物質は、単独又は２種類以上を組み合わせて使用することができる。
油状物質は、ヒドロキシ脂肪酸によりゲル化される。ジヒドロキシ脂肪酸は好適には１つ以上の水酸基を持つ炭素数１６〜２０の飽和又は不飽和脂肪酸である。ヒドロキシ脂肪酸の脂肪酸部分は、直鎖状脂肪酸でも分枝状脂肪酸でも良いが、油状液体と混合して得られるゲル化物の粘度やゲルの分散状態を良好に保持できる点から、直鎖状脂肪酸であることが好ましい。また、ヒドロキシ脂肪酸の脂肪酸部分は、飽和脂肪酸でも不飽和脂肪酸でも差し支えないが、適度な粘度と柔軟性を持ったゲル化物が得られる点から、飽和脂肪酸であることが好ましい。本発明で使用されるヒドロキシ脂肪酸の水酸基の数及びその結合位置には、格別な条件はないが、水酸基の数については、１〜２個が好ましい。ヒドロキシ脂肪酸の具体例としては、直鎖状または分枝状のヒドロキシヘキサデカン酸、直鎖状または分枝状のヒドロキシヘプタデカン酸、直鎖状または分枝状のヒドロキシオクタデカン酸、直鎖状または分枝状のヒドロキシノナデカン酸、直鎖状または分枝状のヒドロキシイコサン酸、直鎖状または分枝状のヒドロキシヘキサデセン酸、直鎖状または分枝状のヒドロキシヘプタデセン酸、直鎖状または分枝状のヒドロキシオクタデセン酸、直鎖状または分枝状のヒドロキシノナデセン酸、直鎖状または分枝状のヒドロキシイコセン酸、直鎖状または分枝状のジヒドロキシヘキサデカン酸、直鎖状または分枝状のジヒドロキシヘプタデカン酸、直鎖状または分枝状のジヒドロキシオクタデカン酸、直鎖状または分枝状のジヒドロキシノナデカン酸、直鎖状または分枝状のジヒドロキシイコサン酸、直鎖状または分枝状のジヒドロキシヘキサデセン酸、直鎖状または分枝状のジヒドロキシヘプタデセン酸、直鎖状または分枝状のジヒドロキシオクタデセン酸、直鎖状または分枝状のジヒドロキシノナデセン酸、直鎖状または分枝状のジヒドロキシイコセン酸、およびこれらの混合物等（いずれも、水酸基の位置および二重結合の位置は任意である）を挙げることができる。これらのヒドロキシ脂肪酸の中でも、直鎖状ヒドロキシ脂肪酸であるヒドロキシパルミチン酸、ヒドロキシステアリン酸、ヒドロキシオレイン酸、およびこれらの混合物（いずれも、水酸基の位置は任意である）が好ましく、特に１２−ヒドロキシステアリン酸が最も好ましい。
尚、本発明で言う「ヒドロキシ脂肪酸」はそのアルキルエステル、アミドも含むものである。このようなエステル、アミドとしては、例えば、１２−ヒドロキシステアリン酸メチルエステル、１２−ヒドロキシステアリン酸エチルエステル、１２−ヒドロキシステアリン酸ステアリルエステル、１２−ヒドロキシステアリン酸ベンジルエステル、１２−ヒドロキシステアリン酸アミド、１２−ヒドロキシステアリン酸のイソプロピルアミド、１２−ヒドロキシステアリン酸のブチルアミド、１２−ヒドロキシステアリン酸のベンジルアミド、１２−ヒドロキシステアリン酸のフェニルアミド、１２−ヒドロキシステアリン酸のｔ−ブチルアミド、１２−ヒドロキシステアリン酸のシクロヘキシルアミド、１２−ヒドロキシステアリン酸の１−アダマンチルアミド、１２−ヒドロキシステアリン酸の２−アダマンチルアミド、１２−ヒドロキシステアリン酸のジイソプロピルアミドが挙げられる。
本発明のパッドに用いるゲル状液体は、油状液体を６０〜１５０℃に加熱した後、油状液体１００重量部に対して、ヒドロキシ脂肪酸を０．３〜２０重量部、好ましくは０．５〜４重量部混合し、次いで冷却してゲル化させ、これを撹拌などにより機械的に破壊することよって得ることができる。得られたゲル状液体はチキソトロピー型の液体である。液体油脂の加熱温度を６０℃以下にすると、ヒドロキシ脂肪酸が溶解しないためゲル状液体にならず、１５０℃以上にすると、ゲル状液体が着色してしまったり、透明性が損なわれたりするので好ましくない。
本発明のパッドに用いるゲル状液体に対しては、比重調整剤を添加することができる。本発明に用いる比重調整剤としては、ゲル状液体よりも比重の軽い粉体、又は粒状体であれば良く、例えば酸化チタン、カオリン、ペントナイト等の無機粉体、シリコーンパウダー、ナイロンパウダー、ポリエチレンパウダー、ポリスチレンパウダー、ポリメチルメタアクリレートパウダー、シルクパウダー、繊維パウダー、寒天カプセル、ゼラチンカプセル、ポリマービーズ等のカプセル、中空ビーズ等を挙げることができる。本発明においては、前記比重調整剤の中でも中空ビーズを好適に用いることができる。該中空ビーズとしては具体的には人工無機質中空ビーズ、天然無機質中空ビーズ、プラスチックビーズ等を挙げることができる。前記比重調整剤は単独又は２種類以上を組み合わせて添加することも出来る。中空ビーズを添加する場合の添加量は、ゲル状液体１００重量部に対して５〜１００重量部、好ましくは７〜３０重量部、更に好ましくは１０〜１５重量部である。
この場合の中空ビーズの粒径、形状は特に制限されないが、粒径は通常５〜５００μｍ、好ましくは１０〜１００μｍである。
前記ゲル状液体中には、本発明のパッドの柔軟性、弾力性、装着時の形状保持性、適度な重量感を妨げない範囲で他の成分、例えば、分散剤、色素等が配合可能である。
分散材としては従来公知の各種のものを使用することが出来る。このような分散材としては、例えば、イオン性界面活性剤、高分子物質、非イオン性界面活性剤等が挙げられる。
色素としては、一般に知られる染料、無機及び有機顔料等を配合することができる。
また、本発明においてはパッドのデザイン性を高める目的で前記ゲル状液体中に、一般にラメと呼ばれるような光沢のある微細繊維、微細粉、また、星形、ハート形等に形成した微細成型物を混入させることができる。
本発明の液体パッドに用いる袋体を形成するポリマーフィルムは、柔軟性、弾力性、透温性、温度依存性等を考慮して好適なものを選択すればよい。ポリウレタンフィルム、ポリオレフィンフィルム、塩化ビニルフィルム、ＥＶＡフィルム、ナイロンフィルム、ポリエステルフィルム等、又はこれらの混合フィルム、積層フィルムが用いられる。
本発明のパッドに用いられるポリマーフィルムの厚さには特に制限はないが、０．０１〜０．５ｍｍ、好ましくは０．０５〜０．２０ｍｍである。０．０１ｍｍより薄いと袋体が破れやすくなり、０．５ｍｍより厚いとパッド自体が固くなる。また、該ポリマーフィルムの袋体には、パッドのデザイン性を向上する目的で、袋体の表面又は内側に印刷等により種々の模様又は文字等を設けることができる。
前記ポリマーフィルムを袋体とするには、フィルムを重ねて縁部を熱融着する方法、高周波を用いて融着する方法、接着剤により接着する方法等、種々の方法を用いることができる。
本発明のパッドにおいて、ポリマーフィルム袋体の大きさ及び袋体中に封入するゲル状液体の量には特に制限はないが、通常、パッドの大きさは縦７５ｍｍ程度、横１２０ｍｍ程度、厚み１０〜１２ｍｍ程度である。
該パッドは、ブラジャー、水着の内側胸ポケット部に装着して使用するほか、袋体の融着した縁部分をブラジャー、水着の内側に直接縫合することにより使用することができる。
実施例
以下の比較例及び実施例は本発明を更に説明する。
比較例１
ウレタンフォームを、縦７５ｍｍ、横１２０ｍｍ、厚さ１２ｍｍの大きさのパッドに成型し、パッドを得た。
比較例２
ポリエチレンフォームを、縦７５ｍｍ、横１２０ｍｍ、厚さ１２ｍｍの大きさのパッドに成型し、パッドを得た。
比較例３
不織布を、縦７５ｍｍ、横１２０ｍｍ、厚さ１２ｍｍの大きさのパッドに成型し、パッドを得た。
比較例４
縦７５ｍｍ、横１２０ｍｍ、厚さ０．１ｍｍのポリウレタンフィルムの袋体に、パッドの厚みが１２ｍｍになる位の空気を封入し、パッドを得た。
比較例５
流動パラフィンを、縦７５ｍｍ、横１２０ｍｍ、厚さ０．１ｍｍのポリウレタンフィルムの袋体に、パッドの厚みが１２ｍｍになる位封入してパッドを得た。実施例１
流動パラフィンを８０℃に加熱した後、該流動パラフィン１００重量部に対し、１２−ヒドロキシステアリン酸を１．５重量部添加、溶解、冷却固化し、機械的に破壊してゲル状液体を得た。該ゲル状液体を、縦７５ｍｍ、横１２０ｍｍ、厚さ０．１ｍｍのポリウレタンフィルムの袋体に、パッドの厚みが１２ｍｍになる位封入してパッドを得た。
実施例２
流動パラフィンを８０℃に加熱した後、該流動パラフィン１００重量部に対し、１２−ヒドロキシステアリン酸を１．５重量部添加、溶解、冷却固化し、機械的に破壊した後、６０μｍガラス発泡ビーズを１０重量部添加してゲル状液体を得た。該ゲル状液体を、縦７５ｍｍ、横１２０ｍｍ、厚さ０．１ｍｍのポリウレタンフィルムの袋体に、パッドの厚みが１２ｍｍになる位封入してパッドを得た。
上記、比較例及び実施例のパッドについて、その柔軟性、弾力性、フィット性、重量感、形状安定性の評価を行った。試験法および評価は以下の通りである。
ブラジャーのポケット部にパッドを装着し、一定時間女性パネラーに行動をしてもらった後、３段階で官能評価を行った。
○：良好
△：違和感あり
×：不快
上記結果を表１に示す。
2002024009.tif 000003
本発明のパッドは、装着性、柔軟性、弾力性、装着時の形状保持性が良好であり、適度な重量感があり、外見上違和感がなく、また、経時変化による材料の劣化、重量変化が少なく、デザイン性にも優れる。又、水系の液体パッドに見られる液体の蒸発、滲み出しによる容量変化を効果的に抑えることができる。
【図１】
2002024009.tif 000004
【図２】
2002024009.tif 000005
【図３】
2002024009.tif 000006
【手続補正書】
【提出日】平成14年7月26日(2002.7.26)
【手続補正１】
【補正対象書類名】明細書
【補正対象項目名】特許請求の範囲
【補正方法】変更
【補正の内容】
【特許請求の範囲】
【請求項１】
平らにされ密封された、可撓性のポリマーフィルムの袋体と、該袋体内に保持された液体からなり、該液体は、流動パラフィンのヒドロキシ脂肪酸ゲル化物からなることを特徴とするブレスト用パッド。
【請求項２】
該液体よりも比重が小さい粒子を該袋体内に含有させたことを特徴とする請求の範囲１に記載のパッド。
【請求項３】
該ゲル化物は、６０〜１５０℃に加熱した流動パラフィン１００重量部に対して、ヒドロキシ脂肪酸を０．３〜２０重量部混合し、冷却してゲル化させ、これを機械的に破壊することよって得られるものである請求の範囲１に記載のパッド。
【請求項４】
ヒドロキシ脂肪酸が１２ヒドロキシステアリン酸である請求の範囲１に記載のパッド。
【国際調査報告】
2002024009.tif 000007
2002024009.tif 000008
2002024009.tif 000009